(57)【特許請求の範囲】
【請求項１】
フライフィッシングにおいて用いられるアウトスプール型リールのティペット巻取り具において、
該巻取り具は、スプール部外側円周方向に略等間隔に３〜５個着脱可能に係止され、ライン収納時、ラインの巻き取りと同時に、ティペットの巻き取りを行うことができる巻取り部を備えたことを特徴とするフライフィッシング用のティペット巻取り具。
【請求項２】
前記ティペット巻取り具は、コ字形又は山形に硬質針金状部材を折曲して形成され、その両基端部をスプール部軸方向内側に折曲すると共に、その基端部基端をスプール部周方向外側に拡開して、スプール部表面の少なくとも二個所のホイール孔に差し込んで弾発係止できる係止部と、基端部後方の中央先端寄りをスプール部軸方向外側に折曲すると共に、その先端をスプール部周方向外側に折曲して、ティペットを巻き取ることのできるＵ字状の巻取り部とを備えてなる請求項１記載のフライフィッシング用のティペット巻取り具。
【発明の詳細な説明】
【０００１】
【発明の属する技術分野】
本発明は、フライフィッシング（西洋風毛バリ釣り）において、釣り場を移動する等ラインをリールに巻き取る必要がある場合に、ラインの巻き取りと同時にティペットをも巻き取って、巻き取り時にラインとリーダーの接続部（リーダーコネクタ）がトップガイドに引っかかることをなくしたフライフィッシング用のティペット巻取り具に関する。
【０００２】
【従来の技術】
イワナやヤマメといった渓流魚を対象とした釣りとして、「フライ（ＦＬＹ）」という主に水生昆虫（カゲロウやトビケラやユスリカなど）を模した毛バリを用いたフライフィッシングが存在する。このフライフィッシングは、ロッド（釣竿）に釣り糸を付けて魚を釣り上げるという基本的なシステムは従来の釣りと変わりないが、餌の代わりにフライを結び、フライラインをムチの要領で遠くのポイントまでキャストすることを前提としたシステムであり、頻繁にキャスティングを繰り返す釣りであることから、重量面や素材、又は道具類の設計面でも、それらを前提とした極めて合理的なシステムとして完成されている。
【０００３】
図３は、このフライフィッシングに用いる必須の道具を示したもので、水生昆虫等を模したフライ２１と、他の釣りでいうハリスに相当するティペット２２と、他の釣りでいう釣り糸に相当するリーダー２３と、フライフィッシング独特のもので釣り糸とロッドの機能を合わせ持つライン２４と、このライン２４を収納するためにロッドのグリップ２５に取り付けられたリール２６と、ロッド２７と、から構成されている。このうち、ライン２４とリーダー２３は先端にいくほど細くなるテーパー構造になっており、この構造によって、オモリがなくても軽いフライ２１を遠くまで的確に飛ばせるようになっている。なお、このライン２４とリーダー２３は、通常、リーダーコネクタ２８又はこれに代わる結び目（ノット）を用いて接続されている。ロッド２７は軽さと柔軟性を重視して、２ｍから３ｍぐらいのものが一般的である。また、リール２６は、海釣りなどで使うリールとは構造的に異なり、基本的に魚とのやりとりを行うためのものではなく（魚とのやりとりは、魚の引きに応じてライン２４をたぐり、徐々に手前に引き寄せることにより行う）、ライン２４を収納しておくためのものである。グリップ２５の上方にはフライ２１を引っかけて止めるためのフックキーパー２９が備えられ、ロッドの中間所定個所にはライン２４を通すためのガイド３０，３０…が、また、ロッドの先端にはライン２４を通すためのトップガイド３１がそれぞれ備えられている。
【０００４】
そして、上記リール２６は、図４に詳細を示すように、グリップ２５に着脱自在に取り付けられた本体部２６ａと、その本体部２６ａに回転自在に取り付けられたスプール部２６ｂとからなっており、ライン２４はこのスプール部２６ｂのライン収納部に巻き付けられている。このスプール部２６ｂの表面には、軽量化と水切れを意図して多数のホイール孔Ｗが三重に形成されている。
【０００５】
このように構成したフライフィッシング用具において、フライフィッシングを行う場合には、狙ったポイントにフライ２１をキャストした後、グリップ２５を持った右指で軽くライン２４をホールドし、左手でたるませた手前のライン２４を軽く握っておく。フライ２１を流れに乗せて２〜３ｍ程度流し反応を見る。反応がなくとも同じ所を２，３回は流してみる。
その後反応がない場合には、次のポイントへ移ることになる。この時、なるべくフォルスキャストを行いながら移動するのが好ましいが、場所によっては、フォルスキャストを行いながらの移動が不可能な場合がある。この場合には、ライン２４を左手に巻いたり、ライン２４をリール２６に巻き取って、移動することになる。
そして、アタックがあったら、軽くロッド２７をあおり合わせる。フッキングしたらロッド２７を立て、魚の引きに応じて徐々に手前に引き寄せ、ネット等で魚を捕獲する。
【０００６】
【発明が解決しようとする課題】
ところで、上記したフライフィッシングにおいて、釣り場を移動する場合、ライン２４を左手に巻いたり、リール２６に巻き取ったりする必要があるが、ライン２４を左手に巻き取る場合には慣れていないとライン２４が絡まったりして後でほぐすのが面倒である。また、リール２６に巻き取る場合には、図５に示すように、ライン２４とリーダー２３の接続部分であるリーダーコネクタ２８又はこれに代わる結び目がトップガイド３１に引っかかってしまって、うまく巻き取れないことがある。そして、巻き取り中にリーダーコネクタ２８又はこれに代わる結び目がトップガイド３１に引っかかった場合には、ロッド２７を一旦下に置いてロッド先端のトップガイド付近を一方の手に持ち、他方の手でトップガイド３１に引っかかったリーダーコネクタ２８又はこれに代わる結び目を外すことが必要となる。
【０００７】
ところがこの作業は結構面倒な作業であり、足場が悪い場所とか狭い場所などではロッドを下に置く都合上作業しにくく、無理に引っ張ってトップガイド３１を破損したりすることがあった。
【０００８】
本発明はかかる実情に鑑みなされたもので、ラインの巻き取りを基端側からリールで行うと同時に、リールに付けたティペット巻取り具で先端側からティペットをも巻き取るようにして、ラインの巻き取り量を通常の巻き取り量の約半分に押さえ、ラインとリーダーの接続部がトップガイドを越えない位置で巻き取りが完了できるようにした着脱可能であり、構造簡単で、製作も容易であり、しかも軽量で且つ安価なフライフィッシング用のティペット巻取り具を提供することを目的とする。
【０００９】
【課題を解決するための手段】
上記目的を達成するために、本発明のフライフィッシング用のティペット巻取り具は、フライフィッシングにおいて用いられるアウトスプール型リールのティペット巻取り具において、該巻取り具は、スプール部外側円周方向に略等間隔に３〜５個着脱可能に係止され、ライン収納時、ラインの巻き取りと同時に、ティペットの巻き取りを行うことができる巻取り部を備えたことを特徴とする。
従って、市販の従来からあるアウトスプール型リールに簡単に後付けすることができると共に、着脱が可能なので、フィッシングの現場でも着脱ができ、大変便利である。
また、前記ティペット巻取り具は、コ字形又は山形に硬質針金状部材を折曲して形成され、その両基端部をスプール部軸方向内側に折曲すると共に、その基端部基端をスプール部周方向外側に拡開して、スプール部表面の少なくとも二個所のホイール孔に差し込んで弾発係止できる係止部と、基端部後方の中央先端寄りをスプール部軸方向外側に折曲すると共に、その先端をスプール部周方向外側に折曲して、ティペットを巻き取ることのできるＵ字状の巻取り部とを備えてなることを特徴とする。
前記ティペット巻取り具は、前述したように、比較的身近にある硬質針金状部材を折曲して形成されるので、簡単構造で、軽量であり、製作が容易且つ安価である。
【００１０】
本発明は、このような構造を採ることにより、ラインの巻き取り量を通常の巻き取り量の約半分に押さえ、ラインとリーダーの接続部がトップガイドを越えない位置で巻き取りが完了できるようにしたものである。つまり、釣り糸部分をその基端側（ライン側）と先端側（ティペット側）の双方から巻き取ることによって、ラインの巻き取り量自体を減らして、ラインとリーダーの接続部であるリーダーコネクタがトップガイドまで届かないうちに巻き取りを完了させて、移動やその後のフィッシング操作を良好に行えるようにしたものである。
【００１１】
そして、ラインの巻き取りに際しては、ティペット先端のフライをティペット巻取り具に直接引っかけてからティペットを巻取り部に絡ませ、例えば、左手でラインとティペット双方にややテンションをかけながら右手でリールを巻くと、ラインはスプール部のライン収納部に巻き取られ、一方、ティペットはスプール部外側の巻取り具の巻取り部に巻き取ることができる。その結果、ラインの巻き取りは、通常の約半分で完了し、ラインとリーダーの接続部（リーダーコネクタ）がトップガイドに到達しないうちに終了する。したがって、このティペット巻取り具をリールに備えれば、リーダーコネクタ又はこれに代わる結び目がトップガイドに引っかかって取り外しが面倒であるといった不具合は発生しない。
【００１２】
【発明の実施の形態】
以下、本発明の好適な実施の形態を図面に基づいて説明する。図１はリールと別体に形成しリールスプール部のホイール孔に弾発係止して取り付けるタイプのティペット巻取り具の斜視図、図２はこのティペット巻取り具をリールのスプール部に取り付けた状態を示す斜視図である。なお、前記した図３乃至図５と同一の部材には同一の符号を付して説明する。
【００１３】
図１及び図２において、このフライフィッシング用のティペット巻取り具１０は、硬質針金状部材をコ字状に折曲した後、両基端部（リール２６のスプール部２６ｂ側）をアウトスプール型リール２６のスプール部２６ｂ軸方向内側に折曲すると共に、その基端部基端をスプール部２６ｂ周方向外側に拡開して、スプール部２６ｂ表面の二個所のホイール孔Ｗ，Ｗに差し込んで弾発係止できる係止部１１，１１を有している。基端部寄り後方の中央部はスプール部２６ｂ周方向に沿わせる。
そして、中央部先端寄りをスプール部２６ｂ軸方向外側に折曲すると共に、その先端をスプール部２６ｂ周方向外側に折曲して、ティペット２２を巻き取ることのできるＵ字状の巻取り部１２，１２を形成する。
【００１４】
そして、係止部１１，１１を、三重に形成されたスプール部２６ｂ表面のホイール孔の内、例えば、真ん中の周状配列のホイール孔Ｗに、バランスを取りつつほぼ等間隔に４個（３個乃至５個も可能）の巻取り具１０，１０…を配置し、スプール部２６ｂ表面外周にティペット２２の巻取り部１２，１２…を配列する（図２参照）。
【００１５】
このティペット巻取り具１０は、図１及び図２に示した実施形態のように、リール２６と別体に形成してその係止部１１，１１をスプール部２６ｂのホイール孔Ｗ，Ｗに弾発係止して取り付けるようにすれば、市販の従来からあるアウトスプール型リール２６にそのまま適用できて好ましい。
【００１６】
このように形成したティペット巻取り具１０をリール２６のスプール部２６ｂ表面に設けることにより、ライン２４の巻き取りに際し、ティペット先端のフライ２１を巻取り具１０の適当個所（例えば、巻取り部１２）に引っかけてからティペット２２を該巻取り具１０の巻取り部１２に絡ませ、左手（右手）で持ってライン２４とティペット２２双方にややテンションをかけながら右手（左手）でリール２６を巻くと、ライン２４はスプール部２６ｂのライン収納部に巻き取られ、ティペット２２はスプール部２６ｂ外側に取り付けたティペット巻取り具１０に巻き取られる。その結果、ライン２４の巻き取りは、通常の約半分で完了し、ライン２４とリーダー２３の接続部（リーダーコネクタ）２８がトップガイド３１に到達しないうちに終了する。したがって、このティペット巻取り具１０をリール２６に備えれば、リーダーコネクタ２８又はこれに代わる結び目がトップガイド３１に引っかかって取り外しが面倒であるといった不具合は発生しない。
【００１７】
【発明の効果】
以上説明したように、本発明によれば、ティペット巻取り具をリールのスプール部表面に取り付けることにより、釣り場を移動する等ラインをリールに巻き取る必要がある場合に、リールへのラインの巻き取りと同時に、釣り糸部分の先端側のティペット側からも取付け具によって巻き取ることができるので、ラインの巻き取り量を通常の巻き取り量の約半分に押さえ、ラインとリーダーの接続部がトップガイドを越えない位置で巻き取りを完了することができる。それ故、ラインとリーダーの接続部がトップガイドに引っかかることがなくなり、ポイントの移動やその後のフィッシング操作を良好に行うことができる。
また、本発明のティペット巻取り具は、市販の従来からあるアウトスプール型リールに簡単に後付けすることができ、しかも、軽量で、簡単な構造なので製作が容易で安価である。更に、リールに着脱可能なので、フィッシングの現場でも着脱ができ、大変便利である。
【図面の簡単な説明】
【図１】  本発明の一実施形態を示すティペット巻取り具の斜視図である。
【図２】  同じくティペット巻取り具をリールのスプール部に取り付けた状態を示す斜視図である。
【図３】  フライフィッシングに用いる必須の道具を示した斜視図である。
【図４】  グリップへのリール取付状態を示す斜視図である。
【図５】  ロッドの先端部分を示す斜視図である。
【符号の説明】
１０    ティペット巻取り具
１１    係止部
１２    ティペット巻取り部
２１    フライ
２２    ティペット
２３    リーダー
２４    ライン
２５    グリップ
２６    リール
２６ａ    本体部
２６ｂ    スプール部
２７    ロッド
２８    リーダーコネクタ
２９    フックキーパー
３０    ガイド
３１    トップガイド
Ｗ      ホイール孔
【図１】
0003827181.tif 000002
【図２】
0003827181.tif 000003
【図３】
0003827181.tif 000004
【図４】
0003827181.tif 000005
【図５】
0003827181.tif 000006